(57)【要約】【課題】屋根の雪降ろしは人手がかかり、面倒であるので、人手をかけなくてもよいように屋根に雪が積もらないようにする。【解決手段】各層からなる下地構造体を外装屋根材で葺いた屋根において、該葺いた外装屋根材に伝熱可能に通電により発熱する面状発熱体を該外装屋根材に接触させて又は上記各層の層間若しくは層外に設けた融雪屋根。各層からなる下地構造体をガルバリューム鋼板等の金属板で葺いた屋根において、該金属板と上記下地構造体の間に通電により自動温度調節可能に発熱する面状発熱体を設けた融雪屋根。通電により自動温度調節可能に発熱する面状発熱体はホットカーペット、電気毛布及びこれらを工事仕様にあらためたホット面状体のいずれかを使用する。【選択図】図１
2006214107.tif 000002
【特許請求の範囲】
【請求項１】
各層からなる下地構造体を外装屋根材で葺いた屋根において、該葺いた外装屋根材に伝熱可能に通電により発熱する面状発熱体を該外装屋根材に接触させて又は上記各層の層間若しくは層外に設けた融雪屋根。
【請求項２】
各層からなる下地構造体をガルバリューム鋼板等の金属板で葺いた屋根において、該金属板と上記下地構造体の間に通電により自動温度調節可能に発熱する面状発熱体を設けた融雪屋根。
【請求項３】
通電により自動温度調節可能に発熱する面状発熱体はホットカーペット、電気毛布及びこれらを工事仕様にあらためたホット面状体のいずれかを用いる請求項２に記載の融雪屋根。
【発明の詳細な説明】
【技術分野】
【０００１】
本発明は、雪を溶かし積もらないようにした屋根に関する。
【背景技術】
【０００２】
建物の屋根については、例えば日本家屋の屋根は、瓦葺きからトタン葺き屋根、コロニアル仕立ての屋根というように変化してきており、近年、安価な丈夫で長持ちするガルバリュ−ム鋼板で葺いた屋根に変わりつつある。
これらのいずれの屋根も、積雪地帯では、屋根に雪が積もり、特に木造家屋ではその積もるに任せておくと、それに耐えずに破損したり、倒壊したりすることがある。そのため、屋根の雪降ろしを行う。殊に豪雪地帯では毎年のように大量の雪を屋根から降ろさなければならず、それも年に何回にもなることがある。
【０００３】
【特許文献１】該当文献見当たらず
【発明の開示】
【発明が解決しようとする課題】
【０００４】
屋根の雪降ろしを行う人手を用意できる建築物の場合はよいが、これができない高齢者の家では、若い人手を雇わなければならず、その費用もかかるのみならず、その人手を近所からは雇えない場合もあり、特に高齢者の家では死活問題にもなりかねない。また、人手が雇える場合でも、作業中に転落する危険がつきものであり、特に人手が雇えない場合、高齢者自らが作業を行うときはその危険が大きい。
屋根の雪降ろしは、用具を操作する個人による作業であり、雪は一旦家の周囲に降ろすが、その降ろした雪は家の廻りの雪囲いに雪圧となったり、その雪囲いがない場合には壁等の家の周側部に対する雪圧となり、それらの変形をもたらすほどのこともある。そのため、その降ろした雪も他の空き地に運んで捨てなければならない面倒がある。
【課題を解決するための手段】
【０００５】
本発明は、上記課題を解決するために、屋根に積もった雪を除くという発想を転換して、屋根に雪が積もらないようにすればよく、それには屋根に降った雪が溶けて積もらないように、屋根の例えば屋根板と下地構造体との間に例えばホットカーペットを設ければ屋根板を簡単に温められることを考え付き、本発明をするに至った。
したがって、本発明は、（１）、各層からなる下地構造体を外装屋根材で葺いた屋根において、該葺いた外装屋根材に伝熱可能に通電により発熱する面状発熱体を該外装屋根材に接触させて又は上記各層の層間若しくは層外に設けた融雪屋根を提供するものである。  また、本発明は、（２）、各層からなる下地構造体をガルバリュ−ム鋼板等の金属板で葺いた屋根において、該金属板と上記下地構造体の間に通電により自動温度調節可能に発熱する面状発熱体を設けた融雪屋根、（３）、通電により自動温度調節可能に発熱する面状発熱体はホットカーペット、電気毛布及びこれらを工事仕様にあらためたホット面状体のいずれかの加工体である上記（２）の融雪屋根を提供するものである。
なお、上記（１）を「各層からなる下地構造体を外装屋根材で葺いた屋根において、該葺いた外装屋根材に伝熱可能に通電により発熱する面状発熱体を設けた融雪屋根。」としてもよい。
【発明の効果】
【０００６】
本発明によれば、外装屋根材に伝熱可能に面状発熱体を設けたので、屋根に雪が降っても直ぐに溶けて、積もらず、雨水となって屋根から落ちるため、従来のように、屋根の雪降ろしをする必要がなく、家の周囲に屋根の雪が落ちて溜まったり、雪降ろしの雪が溜まるようなこともなく、それを除ける面倒もない。
このように、屋根の雪やその降ろした雪の処理が必要でないので、人手を要することなく、高齢者や留守の建築物でも、屋根に積もる雪のことからくる面倒な問題を回避することができる。しかも、面状発熱体は設置も容易であり、消費電力も少なく、設置コスト、維持コストがかからず、普及し易くできる。
それのみならず、屋根の溶かした雪は雨水となるが、水温が気温より高いときはよりよく、風呂の水として利用したり、雪消しパイプ（パイプに長さ方向に細孔を設け、噴出させる）に導き、道路その他の消雪を行う等多方面の利用を安価に行える。
【発明を実施するための最良の形態】
【０００７】
屋根に雪が積もらないようにするという目的を、外装屋根材に伝熱可能に面状発熱体を設けることにより、その面状発熱体に汎用品を用いて簡単に実現できる。
【実施例】
【０００８】
図１、２に示すように、１は下地構造体であり、この下地構造体１は、家の骨格の棟木２、桁３に化粧垂木４を前後方向に並設し、これらの化粧垂木４の先端に沿ってそこからはみ出すように屋根の外周ぐるりに広小舞（板）５を釘止め等により打ちつけ、さらにこの広小舞５の上から外方にはみだすようにその外周ぐるりに淀（板）６を打ちつけ、それから上記化粧垂木４に化粧野地板７を張り（屋内からみれば天井となる）、その上にルーフィング（アスファルトフェルト）８を張る。ルーフィングは巻いたものであり、これを張るときは側辺部を重ねて張り、ステップル（タッカーの針）を化粧垂木４のあるところに打つ。ついでルーフィング８の上からもう一度垂木９を打ちつけ、その上に野地板１０を張り、さらにもう一度ルーフィング１１を上記の場合とほぼ同様に側片部を重ねて張るが、但し今度は淀６からはみ出すように張る。
【０００９】
このようにしてできあがった広小舞５〜ルーフィング１１の各層からなる下地構造体１にトタンを張るが、その前に、市販のホットカーペット、あるいは電気毛布（ホットカッペットや電気毛布を工事仕様にあらためたホット面状体でもよい）を加工して適宜幅の波形面状発熱細長片（加工体）１２を作製し、その波形面状発熱細長片１２を屋根の先端側の上記ルーフィング１１の上にその長さ方向に沿うように向けて固着具で打ちつけ（接着剤による接着でもよい、以下同様）、その後端部からコード１３を引出してその先端にプラグ１４を取付け、電源に接続可能にする。その他方の中央側の端部を別の波形面状発熱細長片１２の端部と突き合わせ、これもルーフィングの長さ方向に沿うように向けて打ちつけ、突き合わせた端部同士はコネクタ１５で電気的に接続するとともに機械的に連結する。次の列の上記ルーフィング１１にも同様に波形面状発熱細長片１２を今度は波型の形状が裏返しになるようにして打ちつけ、屋根の前側の端部同士をコネクタ１５で電気的、機械的に接続し、連結する。以下同様に各ルーフィングに波形面状発熱細長片を打ちつけ、端部をコネクタで電気的、機械的に接続し、連結する。なお、図示省略したが、最後のルーフィングはその幅を調整し、波形面状発熱細長片もその長さ方向に伸ばす等により波形の高さを調整する。なお、波形面状発熱細長片は直線状の面状発熱細長片でもよく、発熱紐状体でもよく、これらの各々を格子状にしたものでもよく、各列のルーフィングのほぼ全面を覆うシート状のものでもよく、また、各列のルーフィング全てにこれらを設けてもよいが、飛び飛びのように部分的に設けてもよい。例えば屋根の棟に近い方に設け、雪が降ったときにそこで溶かせば雨水となり、下方に流れるので、その流水により屋根の先端側の雪を溶かすこともでき、消費電力の節約になる。
なお、例えばＵ字状パイプの両端を延長してケースとし、これを上記ルーフィング１１上に設置し、これに例えば発熱紐状体を挿入して使用し、その発熱紐状体を修理、あるいと交換するときにはケースの一端開口部からその一端を引出し、その際発熱紐状体の他端に紐を結んでおき、修理あるいは交換後、発熱紐状体を元の挿入状態に戻すときにその他端側の紐を引っ張るようにしてもよい。  
また、面状発熱体は広小舞５〜ルーフィング１１の各層の間、広小舞５の下面、すなわち化粧垂木４との間に設けてもよい。
【００１０】
近年、ホットカーペットは、ペットや高齢者の失禁等にも対応できるように完全防水でできているので、これを利用すればよいが、これにかぎらず、外観はカーペット状にしなくてもよく、防水布、ゴム、プラスチック、フェルト等のシートで外装し、内装する面状発熱体とともに工事仕様のホット面状体にし、あるいは工事仕様の面状発熱体だけのものでもよく、コストを低減させるようにすることも好ましい。この面状発熱体は、通電することにより自動温度調節するように発熱するものが好ましく、例えば室内で使用するホットカーペットや電気毛布のように、冬季温かくなる程度に自動温度調節されるものが挙げられ、これらを工事仕様にしたものも使用できるが、これらに限らない。
このようにして、下地構造体１に面状発熱細長片が敷設されたが、その上にトタンを張る。これには、図１の屋根の右傾斜部分に示されているように、ガルバリューム鋼板波板（その他の金属板その他の屋根材でもよい）１６を側辺部を重ねながらステンレスのスクリュー針で打ちつけて張る。ガルバリューム鋼板は、立地条件にもよるが、錆止めやペンキを塗れば、２０年位は持つといわれている。亜鉛引き波板葺きの屋根について、１５年経って赤い錆らしきものが見られたが、錆をとって錆止めを塗り、ペンキを塗ればあと２０年は持たせることができるともいわれている。
最後に図示省略したが、てっぺんの棟の部分を処理して融雪屋根ができあがる。
なお、納屋、物置、車庫等ならば簡易屋根工事でよく、野地板の上にルーフィングを張り、その上に広小舞から棟に向かい間隔をおいて貫を打ち、波板トタンを打つだけで十分である。
屋根には家屋その他の建築物の屋根は勿論のこと、構造物の外面が露出する天井も含まれる。
【００１１】
屋根を葺き替える場合も上記の屋根の新築の場合に準じて融雪屋根を築造できるが、できあがった融雪屋根は、例えば冬季にはプラグ１４を電源につないでおくと、自動温度調節できるホットカーペット、電気毛布あるいはその工事仕様のホット面状体の加工体を用いたときは、居住者の住宅ではいうまでもなく、別荘のように長期留守の場合にも、通電により例えば１８〜２５℃の一定温度に自動調節されてもよいが、雪は微熱でも溶けるので１０℃以下、数℃でもよいこともあり、これにより敷設されたガルバリューム鋼板波板にも伝熱されるので、このガルバリューム鋼板波板も温められ、雪が降っても、微熱でも雪は溶けるので、その都度雪を溶かして積もらないようにできる。しかも、例えばホットカーペットのような面状発熱体を用いるので、長時間通電可能状態にしておいても消費電力も少なく、その施工も簡単であるので、設置コスト、維持コストも少なくて済み、太陽電池を利用できればさらによく、普及し易くすることができる。なお、「融雪屋根」（雪が降ったときに雪を溶かすことができる屋根の意味であり、雪を溶かすことができれば、実際には雪が降らないところで利用しても、これに該当する）は「保温屋根」としてもよく、いずれも雪を溶かすだけではなく、雪が降らない場合でも、みぞれや冷たい雨の場合にも、水温の高い水が得られるメリットはあり、家の暖房にもなる。
このように雪が積もらなければ、特に木造住宅の耐久性を向上し、耐用年限を増すことができるのみならず、雪が溶ければ雨水となるが、みぞれや冷たい雨の場合も含め、気温より水温を高くできるので、適宜集水設備を設けて、風呂水、炊事用水、自然産物の洗い水等としても利用してもよく、ホースに導いて温室栽培の暖房源としても利用でき、消雪パイプ等に導入して道路等の雪を溶かすこともでき、その際落差を利用して勢いよく噴水することもでき、また、地震等の災害時に温水を利用できる場合があり、さらには屋根から自然流下させて建築物の廻りの雪を溶かし、壁等の雪圧を軽減することもできる。
【図面の簡単な説明】
【００１２】
【図１】本発明の一実施例の融雪屋根の組み立て過程を示す説明図（下地構造体１は前端を断面で示す）である。
【図２】その融雪屋根の一部断面図である。
【符号の説明】
【００１３】
１  下地構造体
１２  波形面状発熱細長片
１６  ガルバリューム鋼板波板
【図１】
2006214107.tif 000003
【図２】
2006214107.tif 000004